(57)【要約】【課題】初心者或いは未経験者であっても簡単にセニングでき、安全に使用することができるセニング用レザーを提供する。【解決手段】Ｃ字形の形状を有する把部と該把部の自由端部の一方に取り付けられる薄板状の刃部から構成される。刃部はＶ字形またはＵ字形の平面形状を有し、刃部の刃はＶ字形またはＵ字形の内側縁に沿って形成される。刃部はＶ字形またはＵ字形の開口側が把部の他方の自由端部に対向するように配置され、刃部の面は把部の面と実質的に平行に配置される。把部は所定の幅の周面を有し、把部の内部空間は人差し指を挿脱自在に挿入できるように形成され、把部の前記一方の自由端部は刃部の刃を露呈するように刃部に対応した形状の切欠部を有する。【選択図】    図３
2004202032.tif 000002
【特許請求の範囲】
【請求項１】
Ｃ字形の形状を有する把部と該把部の自由端部の一方に取り付けられる薄板状の刃部とから構成され、
前記刃部はＶ字形またはＵ字形の平面形状を有し、刃部の刃はＶ字形またはＵ字形の内側縁に沿って形成され、刃部はＶ字形またはＵ字形の開口側が把部の他方の自由端部に対向するように配置され、刃部の面は把部の面と実質的に平行に配置され、
前記把部は所定の幅の周面を有し、把部の内部空間は人差し指を挿脱自在に挿入できるように形成され、把部の前記一方の自由端部は刃部の刃を露呈するように刃部に対応した形状の切欠部を有する、
セニング用レザー。
【請求項２】
前記刃部を取り付ける把部の部分は外周面側の開閉蓋部と内周面側の把部と一体な受容部とから構成され、刃部は開閉蓋部と受容部の間に着脱自在に装着され、開閉蓋部は把部の前記一方の自由端部に枢動自在に取り付けられ、開閉蓋部の自由端部は把部の受容部に隣接して設けられたストッパによって係脱自在に係止される、請求項１に記載のセニング用レザー。
【請求項３】
前記刃部には少なくとも１つの貫通穴が設けられ、開閉蓋部または受容部には刃部の貫通穴を通して受容部または開閉蓋部に設けられた凹部に受容される凸部が設けられる、請求項２に記載のセニング用レザー。
【請求項４】
前記刃部は２つの直線状の刃部をＶ字形に組み合わせることによって形成されたＶ字形の刃部である、請求項２または３に記載のセニング用レザー。
【請求項５】
総体的に中空の筒状形体を有するホルダー部と該ホルダー部の一方の端部に設けられる刃とから構成されるカセット刃をさらに備え、該カセット刃は把部の前記一方の自由端部に着脱自在に装着される、請求項１〜４のいずれか一項に記載のセニング用レザー。
【請求項６】
前記ホルダー部の上面は凹状または凸状に湾曲しており、ホルダー部の上面の一端部には該端部の湾曲形状に対応した形状の刃が設けられる、請求項５に記載のセニング用レザー。
【発明の詳細な説明】
【０００１】
【発明の属する技術分野】
本発明は、ラインセニングやインナーセニング等に使用するためのセニング用レザーに関するものである。
【０００２】
【従来の技術】
ラインセニングやインナーセニング等のセニングは、頭髪の量感調整や毛密度調整を行うことによって、頭髪に毛束感を与えたり、毛先に動きのあるスタイルを作るときに必要なカット技術である。このようなセニングには和式剃刀や理美容シザースが用いられていた。
【０００３】
和式剃刀を用いてセニングする場合、毛髪に対する刃の角度や当て具合を調節することでカット量を調整するため、直線的なカットになり易く、毛束感や毛先への動きを与え難いものであった。一方、シザースを用いてセニングする場合、シザースの開き具合を調節することでカット量を調整できるため、細かな調整を行うことができるという利点を有している。しかしながら、カット量の調整が開き具合に左右されるため、開き具合とカット量の関係を経験的に会得していなければならなかった。
【０００４】
これに対し、支軸を介して相互に連結された２つの柄の一方に柄の側縁に沿って突出した刃を付着した理美容はさみ型レザー（例えば、特許文献１参照。）や、はさみの刃先部分に刃先が相互に角度をなして当接するようにレザーを設けたレザーばさみ（例えば、特許文献２参照。）が提案されている。
【０００５】
前者の理美容はさみ型レザーは、２つの柄の間に毛髪を挟み、毛髪に沿って動かすことにより毛髪を削ぐものである。カット量の調整は挟み込む量と毛髪に対する刃の角度を調節することによって行われるが、和式剃刀の場合と同様に、挟み込んだ毛髪に対して直線的なカットしか行えないものであった。加えて、刃が手で保持する位置から離れた位置で剥き出しになっているため、不用意に使用すると挟み込んだ毛髪をすべてカットしてしまう恐れがあるだけでなく、使用者の手指に怪我をさせてしまう可能性も残されており、使いこなすためには和式剃刀の場合と同程度の経験を必要とするものであった。後者のレザーばさみは、毛髪に対して刃を鋭角に当てることができる利点を有しているはいるが、理美容シザースの延長上のものでしかなく、依然として理美容シザースを用いる場合と同様な感や経験を必要とするものであった。
【０００６】
【特許文献１】特開平９−３１３７５１号公報
【特許文献２】特開平７−２８９７５３号公報
【０００７】
【発明が解決しようとする課題】
本発明は、或いは未経験者であっても簡単にセニングできると共に、安全に使用することができ、それにより、誰にでも簡単に頭髪に毛束感を与えたり毛先に動きのあるスタイルを作ることができるセニング用レザーを提供しようとするものである。
【０００８】
【課題を解決するための手段】
本発明によるセニング用レザーは、Ｃ字形の形状を有する把部と該把部の自由端部の一方に取り付けられる薄板状の刃部とから構成される。刃部はＶ字形またはＵ字形の平面形状を有し、刃部の刃はＶ字形またはＵ字形の内側縁に沿って形成される。また、刃部はＶ字形またはＵ字形の開口側が把部の他方の自由端部に対向するように配置され、刃部の面は把部の面と実質的に平行に配置される。把部は所定の幅の周面を有し、把部の内部空間は人差し指を挿脱自在に挿入できるように形成され、把部の前記一方の自由端部は刃部の刃を露呈するように刃部に対応した形状の切欠部を有している。
【０００９】
本セニング用レザーは、基本的に、把部のＣ字形の中に挿入した人差し指と、把部の外周面上に添えた中指とで把部を挟み持つことにより、刃部が親指の方向へ向いた状態で保持される。毛先が刃部のＶ字形またはＵ字形の開口を通って把部の他方の自由端部へと延びるような位置関係でセニングすべき毛髪を刃部の開口内に入れ、親指で毛髪を押えながら本セニング用レザーを毛先方向へ移動させることによりカットが行われる。このとき、刃部の刃が毛髪に対して鋭角に当てられることにより、刃に当接した毛髪はスムーズにカットされる。カット量の調節は、刃部の底部に向かって親指で毛髪を押し付ける強さおよび／または押し付ける位置を変えることにより行われる。このカット作業は、指先、特に、親指の力加減だけによって直接的にカット量の調節が行われるため、非常に簡単に所望のセニングを行うことができる。
【００１０】
刃部を取り付ける把部の部分は外周面側の開閉蓋部と内周面側の把部と一体な受容部とから構成することもできる。刃部は開閉蓋部と受容部の間に着脱自在に装着される。開閉蓋部は把部の前記一方の自由端部に枢動自在に取り付けられ、開閉蓋部の自由端部は把部の受容部に隣接して設けられたストッパによって係脱自在に係止される。刃部の交換が可能になることにより、切れが悪くなったときに新しい刃に簡単に交換して使用できる。開閉蓋部が把部の前記一方の自由端部に枢動自在に取り付けられることにより、当該自由端部には刃部が位置することができなくなり、それにより、不用意に手指を傷つける恐れを回避できる。また、開閉蓋部を固定するためのストッパが指掛りとなり、セニング時に把部が手の中で滑ってしまうのを防止できる。
【００１１】
刃部に少なくとも１つの貫通穴を設け、開閉蓋部または受容部に刃部の貫通穴を通して受容部または開閉蓋部に設けられた凹部に受容される凸部を設けるようにも構成できる。凹部と凸部が相互に嵌め合うことにより、把部と蓋部の相対的な位置関係を確実に固定できると共に、把部と蓋部の間に配置された刃部が使用中にずれてしまうのを確実に防止できる。
【００１２】
刃部は、Ｖ字形またはＵ字形の単一部材からなる刃部であってもよいが、Ｖ字形の刃部の場合、２つの直線状の刃部をＶ字形に組み合わせることによって形成するように構成してもよい。２つの直線状の刃部を用いる場合、Ｖ字形またはＵ字形の刃部を製造するのに比較して相対的に廉価に刃部を製造できるための、製造コストを抑えることができる。
【００１３】
本発明の別の適用形態として、総体的に中空の筒状形体を有するホルダー部と、このホルダー部の一方の端部に設けられる刃とから構成されるカセット刃をさらに備えることもできる。このカセット刃は把部の前記一方の自由端部に着脱自在に装着される。ホルダー部の上面は凹状または凸状に湾曲しており、ホルダー部の上面の一端部には該端部の湾曲形状に対応した形状の刃が設けられる。
【００１４】
【発明の実施の形態】
【実施例１】
図１および図２は本発明の実施例によるセニング用レザーの側面図および平面図であり、図３及び図４はその斜視図である。本発明の実施例によるセニング用レザーは、図１および図２に示すように、Ｃ字形の形状を有する把部１と、把部１の自由端部の一方１ａに取り付けられる薄板状の刃部２とから構成される。
【００１５】
刃部２は、図４により明瞭に示すように、Ｖ字形またはＵ字形（図示の場合、Ｖ字形）の平面形状を有している。刃部２はＶ字形またはＵ字形の開口２ａ側が把部の他方の自由端部に対向するように配置され、刃部２の刃はＶ字形またはＵ字形の内側縁２ｂに沿って形成される。刃部２の面は把部１の面と実質的に平行に配置される。刃部２の開口２ａは、後述するセニング時に、所望の量の毛髪をその内部に入れることができると共に、手指、主として親指が入り込んで刃で怪我をしてしまうことがないように寸法付けられる。
【００１６】
把部１は所定の幅の周面１ｂを有し、把部１の内部空間１ｃは人差し指Ｆ１（図５参照）を挿脱自在に挿入できるように形成される。把部１の刃部２を備える側の自由端部１ａは刃部２の刃（２ｂ）を露呈するように刃部２の形状に対応した形状の切欠部１ｄを有している。把部１の刃部２を取り付ける部分は外周面側の開閉蓋部１１と内周面側の把部と一体な受容部１２とから構成される。開閉蓋部１１は、図３により明瞭に示すように、枢軸３によって把部１の自由端部１ａに枢動自在に取り付けられ、刃部２は開閉蓋部１１と受容部１２の間に着脱自在に装着される。このため、刃部２は、把部１に装着されたときに枢軸３の位置よりも内方で終端するように形成される。開閉蓋部１１の自由端部１１ａは把部１の受容部１２に隣接して設けられたストッパ４によって係脱自在に係止される。開閉蓋部１１または受容部１２（図示の場合、受容部１２）には少なくとも１つの凸部１３が設けられており、受容部１２または開閉蓋部１１（図示の場合、受容部１２）には凸部１３を受容するための凹部１４が設けられている。刃部２には凸部１３が貫通するための貫通穴２ｃが設けられており、刃部２を開閉蓋部１１と受容部１２の間に装着したとき、凸部１３は貫通穴２ｃを通って凹部１４に受容されることにより刃部２を所定の装着位置に固定する。
【００１７】
ストッパ４は、図４により明瞭に示すように、受容部１２の内方側端部から把部１の自由端部１ａに対向する自由端部１ｂの方向へ適当に延びるスライド溝４ａと、スライド溝４ａ内に摺動自在に装着されたスライダ４ｂとから構成される。スライダ４ｂは、自由端部１ａ側に移動されたとき、スライダ４ｂの自由端部１ａ側の端部が開閉蓋部１１の端部に係合して開閉蓋部１１を固定する。一方、スライダ４ｂが自由端部１ａから離間する方向に移動されたとき、スライダ４ｂ全体がスライド溝４ａ側に収納されて開閉蓋部１１との間の係合が解除され、それにより開閉蓋部１１を開けて刃部２の交換等を行うことができる。
【００１８】
上述のごとく構成される本発明のセニング用レザーは、図５に示すように、一方の手の人差し指Ｆ１を把部１の内部空間１ｃに挿入し、中指Ｆ２（必要ならば、薬指や小指も用いる。）を把部１の外周面側に当接し、刃部２が親指Ｆ３の方向へ向くような位置関係で本セニング用レザーを保持する。他方の手でセニングしようとする箇所の毛髪Ｈを持ち、刃部２の開口２ａ内に毛髪を入れ、毛髪Ｈを親指Ｆ３で刃部２に押し付けながら毛先へと移動させることにより所望量の毛髪をカットしてセニングを行う。カットされる量は親指Ｆ３の押付力および／または押付位置によって直接的に左右され、強く押し付ける或いは刃部２の底部に近い位置で押し付けることより多くの量の毛髪がカットされる。
【００１９】
毛髪のカット量は、上述のように親指の押付力によって左右されるが、刃部２がＶ字形の場合、その開脚角度α（図１参照）によっても増減され、通常、同じ親指の押付力、押付位置であっても、開脚角度αが小さくなるに従って開口２ａ内に挿入された毛髪の量に対するカット量の比が大きくなる。このため、親指の押付力によってカット量を調節し易い開脚角度αとしては、５０〜７０度を用いるのが望ましい。刃部２がＵ字形の場合、Ｖ字形の刃部と比較すると、カット量が多くなる傾向にあるため、直線状の両側部を短く形成し、底部の湾曲を緩く形成するのが好ましい。
【００２０】
上述の説明において、刃部２は、Ｖ字形またはＵ字形の単一部材からなる刃部として説明したが、Ｖ字形の刃部を適用する場合、図示されていないが、２つの直線状の刃部をＶ字形に組み合わせることによって形成することもできる。２つの直線状の刃部で構成することは、Ｖ字形またはＵ字形の刃部の製造コストに比較して廉価に製造できるため、製造コストを抑えることができることに留意されたい。
【００２１】
【実施例２】
図６は、本発明の別の実施例によるセニング用レザーを示す図で、着脱自在なカセット刃５を備えることを除き、基本的に前記実施例と同様に構成される。
【００２２】
カセット刃５は、総体的に中空の筒状形体を有するホルダー部５１と、ホルダー部５１の一方の端部に設けられる刃５２とから構成される。図示の位置関係におけるホルダー部５ａの上面５１ａは、凹状（図６の(Ａ)）または凸状（図６の(Ｂ)）に湾曲にしている。刃５２は、上面５１ａの一端に固定して取り付けられ、これにより、刃５２は、図６の(Ａ)の場合、下向きの円弧状の刃として用意され、図６の(Ｂ)の場合、上向きの円弧状の刃として用意される。この刃５２の円弧については、刃部２による毛髪のカット量に比較して少なくなるように選定される。
【００２３】
ホルダー部５１は把部１の自由端部１ａに着脱自在に装着される。この着脱自在な装着手段としては形状的に嵌め合わせることによって相互に連結できるものであればどのような手段も適用できる。図示の場合、ホルダー部５１はプラスチック等のような可撓性を有する材料から作成され、把部１の自由端部１ａをその内部に着脱自在に装着できるように寸法付けられている。一例として、把部１の自由端部１ａの両側部に嵌合溝を形成し、ホルダー部５１の両側部の内面に形成した突起をこの嵌合溝に嵌合することによって相互に着脱自在に連結することができる。
【００２４】
カセット刃５は、刃部２を取り外した把部１の自由端部１ａに装着し、前記実施例で述べたのと同様にしてセニングを行うが、通常、把部１に装着された刃部２によってセニングを行った後、細部を調整するように用いられる。
【００２５】
上述において、把部１の外周面は単純な平滑な面として図示し説明したが、図７に示すように、把部１の外周面に指掛り１５を形成し、薬指Ｆ４も用いてより積極的に把部１を保持するように構成するのが好ましく、これにより、セニング作業をより微細に行うことができる。
【００２６】
【発明の効果】
本発明によれば、セニングすべき毛髪を刃部の開口内に入れ、親指で毛髪を押えながら毛先方向へ移動させることによりカットが行われるため、刃部の刃が毛髪に対して鋭角に当たることによって刃に当接した毛髪をスムーズにカットでき、毛髪を押し付ける親指の強さや位置を変えることによりカット量の調節を行うことができるため、初心者或いは未経験者であっても簡単にセニングでき、刃部が刃部によって囲繞された状態で設けられているため、安全にカット作業を行うことができ、加えて、交換可能なカセット刃を装着することにより、きめ細かなカット作業を行うことができ、それにより、誰でも頭髪に毛束感を与えたり毛先に動きのあるスタイルを作ることができるものである。
【図面の簡単な説明】
【図１】本発明の実施例によるセニング用レザーの側面図である。
【図２】図１に示すセニング用レザーの平面図である。
【図３】本発明の実施例によるおよびセニング用レザーの刃部側から見た斜視図である。
【図４】図３と逆の方向から見た斜視図である。
【図５】本発明の実施例によるセニング用レザーの使用状態を示す図である。
【図６】本発明の実施例によるセニング用レザーの刃部側から見た立面図およびその側面図である。
【図７】本発明の実施例によるおよびセニング用レザーの把部の変形例を示す図である。
【符号の説明】
１    把部                            ２    刃部
３    枢軸                            ４    ストッパ
５    カセット刃
１１    開閉蓋部                      １２    受容部
１３    凸部                          １４    凹部
５１    ホルダー部                    ５２    刃
【図１】
2004202032.tif 000003
【図２】
2004202032.tif 000004
【図３】
2004202032.tif 000005
【図４】
2004202032.tif 000006
【図５】
2004202032.tif 000007
【図６】
2004202032.tif 000008
【図７】
2004202032.tif 000009